(57)【要約】【課題】配線板部材に、絶縁ハウジング内に差し込まれた状態が安定に維持される位置をとらせることができ、かつ、複数のコンタクトに、配線板部材の接続端子部に対する押圧接触状態を容易にとらせることができるものとする。【解決手段】コンタクト１５が、固定ビーム部１６と可動ビーム部１７と可動ビーム部１７を固定ビーム部１６に連結して可動ビーム部１７を支持する連結支柱部１８とを有し、連結支柱部における可動ビーム部の接触部側の側縁部１８ａが固定ビーム部に対して直立しているとともに、連結支柱部における可動ビーム部の受圧部側の側縁部１８ｂが可動ビーム部側から固定ビーム部側へと傾斜していて、連結支柱部の固定ビーム部との接続部分１８ｄの幅が連結支柱部の可動ビーム部との接続部分１８ｃの幅より大とされており、可動ビーム部１７が連結支柱部の可動ビーム部との接続部分を支点にして揺動する。【選択図】  図２
2010003458.tif 000002
【特許請求の範囲】
【請求項１】
配線板部材差込み部が設けられた絶縁ハウジングと、
該絶縁ハウジング内に配列配置され、配線板部材が上記配線板部材差込み部を通じて上記絶縁ハウジング内に差し込まれるとき、差し込まれた上記配線板部材に配列配置された複数の接続端子部に夫々対応する位置をとるものとされる複数のコンタクトと、
上記絶縁ハウジングに対して回動可能に設けられて第１の静止位置と第２の静止位置とを選択的にとり、上記複数のコンタクトに係合して、上記配線板部材が上記配線板部材差込み部を通じて上記絶縁ハウジング内に差し込まれたもとで、上記第１の静止位置から上記第２の静止位置に移行するとき、上記複数のコンタクトの夫々に上記複数の接続端子部のうちの対応するものに対する押圧接触状態をとらせ、上記第２の静止位置から上記第１の静止位置に移行するとき、上記複数のコンタクトの夫々を上記複数の接続端子部のうちの対応するものに対する押圧接触状態から解放するアクチュエータと、
を備えて成り、
上記複数のコンタクトの夫々が、上記絶縁ハウジングに固定される固定ビーム部と、上記接続端子部に押圧接触する接触部及び上記アクチュエータからの押圧力を受ける受圧部が設けられた可動ビーム部と、該可動ビーム部における上記接触部と上記受圧部との間の部分を上記固定ビーム部に連結して上記可動ビーム部を支持する連結支柱部とを有し、該連結支柱部における上記可動ビーム部の接触部側の側縁部が、上記固定ビーム部に対して実質的に直立しているとともに、上記連結支柱部における上記可動ビーム部の受圧部側の側縁部が、該連結支柱部の上記可動ビーム部との接続部分から上記連結支柱部の上記固定ビーム部との接続部分に向かって傾斜していて、上記連結支柱部の上記固定ビーム部との接続部分の幅が上記連結支柱部の上記可動ビーム部との接続部分の幅より大とされており、可動ビーム部が、上記連結支柱部の上記可動ビーム部との接続部分を支点として揺動変位することを特徴とするコネクタ装置。
【請求項２】
上記複数のコンタクトの夫々が、全体としてエ字状の板状体を成すことを特徴とする請求項１記載のコネクタ装置。
【請求項３】
上記アクチュエータが、上記複数のコンタクトの各々における固定ビーム部と可動ビーム部の受圧部とに挟まれるカム部を備え、上記第２の静止位置におかれるとき、上記カム部により上記可動ビーム部の受圧部に押圧力を作用させて該可動ビーム部に揺動変位を生じさせることを特徴とする請求項１記載のコネクタ装置。
【請求項４】
上記カム部による上記可動ビーム部の揺動変位が、上記受圧部を上記固定ビーム部から離隔する方向に変位させ、上記接触部を上記固定ビーム部に近接する方向に変位させるものとされることを特徴とする請求項３記載のコネクタ装置。
【発明の詳細な説明】
【技術分野】
【０００１】
本願の特許請求の範囲に記載された発明は、フレキシブル印刷配線基板（ＦＰＣ）等の配線板部材に設けられた接続端子部を、他の配線基板等とされる他の電気部品に電気的に接続された状態とするため、接続端子部に押圧接触するコンタクトを備えたコネクタ装置に関する。
【背景技術】
【０００２】
各種の電子機器に実装される比較的小型なフレキシブル印刷配線基板等の配線板部材は、各種の電気部品が取り付けられる主印刷配線基板への取付けが、当該主印刷配線基板に電気的接続がなされて固着されたコネクタ装置が用いられて行われることが多いものとされる。このような配線板部材の主印刷配線基板への取付けにあたって用いられるコネクタ装置は、配線板部材に設けられた接続端子部に接触する導電性のコンタクトを有していて、そのコンタクトを介して、配線板部材に設けられた接続端子部を主印刷配線基板に設けられた印刷配線部に電気的に接続する。
【０００３】
従来提案されている、例えば、フレキシブル印刷配線基板とされる配線板部材の主印刷配線基板への取付けに用いられるコネクタ装置は、配線板部材が差し込まれる差込み部が設けられた絶縁ハウジングを有したものとされる。そして、その絶縁ハウジング内に配列配置されて設けられ、配線板部材が差込み部を通じて絶縁ハウジングに差し込まれるとき、その配線板部材に設けられた複数の接続端子部に夫々対応するものとなる複数のコンタクトと、絶縁ハウジングに対して回動可能に設けられ、複数のコンタクトの夫々に係合して、回動せしめられるとき複数のコンタクトの夫々における作動部を変位させ、それにより複数のコンタクトを複数の接続端子部に夫々押圧接触させるアクチュエータとが備えられる。
【０００４】
複数のコンタクトの各々は、導電性の弾性材料で形成され、絶縁ハウジングに固定される部分である固定部と連結部により固定部に連結されて変位可能とされた部分である可動部とを有するものされる。そして、固定部は、主印刷配線基板に設けられた印刷配線部等の配線部に電気的に接続され、また、可動部は、配線板部材に設けられた接続端子部に押圧接触する接触部が設けられたもとで、アクチュエータによって変位せしめられる。
【０００５】
このようなコネクタ装置にあっては、絶縁ハウジングに差込み部を通じて配線板部材が差し込まれたもとで、アクチュエータが所定の方向に回動せしめられると、アクチュエータが、複数のコンタクトの夫々における可動部を変位させて、当該可動部の接触部に配線板部材に設けられた複数の接続端子部のうちの対応するものに対する押圧接触状態をとらせる。また、複数のコンタクトの各々における可動部の接触部が配線板部材に設けられた複数の接続端子部のうちの対応するものに押圧接触する状態をとるもとで、アクチュエータが上述の所定の方向とは逆の方向に回動せしめられると、アクチュエータが、複数のコンタクトの夫々における可動部を変位させて、当該可動部の接触部を配線板部材に設けられた複数の接続端子部のうちの対応するものに対する押圧接触状態から解放する（例えば、特許文献１参照。）。
【０００６】
特許文献１に示されるようなコネクタ装置においては、複数のコンタクト（端子）の夫々が、全体がエ字状の板状体とされている。斯かるエ字状の板状体における、連結部によって相互連結された一対のビーム部のうちの一方が固定部（固定腕部）とされ、他方が可動部（杆状腕部）とされる。配線板部材が差込み部を通じて絶縁ハウジングに差し込まれるときには、配線板部材における複数の接続端子部が設けられた部分が、複数のコンタクトの夫々における固定部と可動部との間に配される。そして、アクチュエータ（回動部材）を回動させて、複数のコンタクトの夫々における可動部を変位させ、当該可動部の接触部に配線板部材に設けられた複数の接続端子部のうちの対応するものに対する押圧接触状態をとらせる際には、複数のコンタクトの夫々において、可動部の接触部が、固定部とで配線板部材における複数の接続端子部が設けられた部分を挟持するようにして、複数の接続端子部のうちの対応するものに対する押圧接触状態をとるものとされる。
【０００７】
また、特許文献１に示されるようなコネクタ装置と略同様な構成をとるもとで、アクチュエータが回動せしめられて、複数のコンタクトの夫々における可動部が変位を生じ、当該可動部の接触部が配線板部材に設けられた複数の接続端子部のうちの対応するものに対する押圧接触状態をとる際に、可動部を固定部に連結する連結部（弾性部）が、可動部の接触部側に傾くようにされたものも提案されている（例えば、特許文献２参照。）。このようなコネクタ装置にあっては、複数のコンタクトの夫々における可動部の、その接触部を配線板部材に設けられた接続端子部に押圧接触させるための変位を、アクチュエータの回動に伴って比較的容易に生じさせることができる。
【０００８】
さらに、特許文献１に示されるようなコネクタ装置と略同様な構成をとるもとで、アクチュエータが回動せしめられて、複数のコンタクトの夫々における可動部が変位を生じ、当該可動部の接触部が配線板部材に設けられた複数の接続端子部のうちの対応するものに対する押圧接触状態をとる際に、可動部を固定部に連結する連結部（連結支点部）の上端が、可動部の接触部側に傾く変位を生じるようにされるとともに、連結部（連結支点部）の下端が、絶縁ハウジングに設けられた配線板部材が差し込まれる差込み部（嵌合口）側に傾斜して張り出すようにされ、上端より幅広にされたものも提案されている（例えば、特許文献３参照。）。このようなコネクタ装置にあっては、複数のコンタクトの夫々における連結部の上端が可動部の接触部側に傾く変位を生じるにあたって、斯かる変位のための揺動支点が安定に得られることになる。
【０００９】
【特許文献１】特開２００２−２７０２９０号公報（段落００２０〜００２３、図６〜７）
【特許文献２】特開２００４−７１１６０号公報（段落００１１〜００１２、図４（Ａ））
【特許文献３】特開２００７−１７３０４３号公報（段落００１０〜００１３、図５（Ａ））
【発明の開示】
【発明が解決しようとする課題】
【００１０】
上述のようなフレキシブル印刷配線基板等の配線板部材の主印刷配線基板への取付けに用いられる従来のコネクタ装置にあっては、配線板部材が差込み部を通じて絶縁ハウジング内に差し込まれ、それに設けられた複数の接続端子部に絶縁ハウジング内に配された複数のコンタクトが夫々押圧接触するものとされるにあたり、絶縁ハウジング内に差し込まれた配線板部材は、複数のコンタクトの夫々における固定部と可動部との間に配されることになる。その際、絶縁ハウジング内に差し込まれた配線板部材は、例えば、その先端が複数のコンタクトの夫々における固定部と可動部とを連結する部分やその他の部分に当接してそれ以上の進入が阻止され、その結果、絶縁ハウジングに対して十分深く差し込まれず、絶縁ハウジング内に差し込まれた状態が安定に維持されなくなるという不都合を生じる恐れがあるものとなる。
【００１１】
特に、アクチュエータが回動せしめられて、複数のコンタクトの夫々における可動部が変位を生じ、当該可動部の接触部が配線板部材に設けられた複数の接続端子部のうちの対応するものに対する押圧接触状態をとる際に、複数のコンタクトの夫々における可動部を固定部に連結する連結部が可動部の接触部側に傾くようにされたコネクタ装置の場合には、差込み部を通じて絶縁ハウジング内に差し込まれてその先端部が複数のコンタクトの夫々の連結部に当接するものとされた配線板部材が、複数のコンタクトの夫々における連結部が可動部の接触部側に傾くとき、当該傾く連結部によって、その先端部が絶縁ハウジングに設けられた差込み部側に移動せしめられるものとなる。その結果、差込み部を通じて絶縁ハウジング内に差し込まれた配線板部材が、絶縁ハウジング内から絶縁ハウジング外へ押し出される方向に変位することになってしまう。
【００１２】
また、複数のコンタクトの夫々における可動部を固定部に連結する連結部の下端が、絶縁ハウジングに設けられた配線板部材が差し込まれる差込み部側に傾斜して張り出すようにされ、連結部の上端より幅広にされたコネクタ装置の場合には、差込み部を通じて絶縁ハウジング内に差し込まれた配線板部材が、その先端部が、複数のコンタクトの夫々における差込み部側に傾斜して張り出すようにされた連結部の下端に当接し、絶縁ハウジング内における比較的浅い位置において、それ以上の進行が妨げられるものとなる。その結果、差込み部を通じて絶縁ハウジング内に差し込まれる配線板部材が、絶縁ハウジング内に比較的深く差し込まれることにより到達できる安定な位置をとることができないことになってしまう。
【００１３】
斯かる点に鑑み、本願の特許請求の範囲に記載された発明は、例えば、フレキシブル印刷配線基板等とされる配線板部材の主印刷配線基板への取付けに用いられる、配線板部材差込み部が設けられた絶縁ハウジングと、絶縁ハウジング内に配列配置されて設けられる複数のコンタクトと、回動可能に配されて複数のコンタクトの夫々に係合し、回動操作されるとき、複数のコンタクトの夫々に、配線板部材差込み部を通じて絶縁ハウジング内に差し込まれらた配線板部材における接続端子部に対する押圧接触状態をとらせるアクチュエータと、を備えたコネクタ装置であって、配線板部材差込み部を通じて絶縁ハウジング内に差し込まれる配線板部材に、絶縁ハウジング内に比較的深く差し込まれて、絶縁ハウジング内に差し込まれた状態が安定に維持される位置をとらせることができ、しかも、複数のコンタクトの夫々に、配線板部材差込み部を通じて絶縁ハウジング内に差し込まれた配線板部材における接続端子部に対する押圧接触状態をとるための変位を、アクチュエータの回動に伴って比較的容易に生じさせることができるものを提供する。
【課題を解決するための手段】
【００１４】
本願の特許請求の範囲における請求項１から請求項４までのいずれかに記載された発明（以下、本発明という。）に係るコネクタ装置は、配線板部材差込み部が設けられた絶縁ハウジングと、絶縁ハウジング内に配列配置され、配線板部材が配線板部材差込み部を通じて絶縁ハウジング内に差し込まれるとき、差し込まれた配線板部材に配列配置された複数の接続端子部に夫々対応する位置をとるものとされる複数のコンタクトと、絶縁ハウジングに対して回動可能に設けられて第１の静止位置と第２の静止位置とを選択的にとり、複数のコンタクトに係合して、配線板部材が配線板部材差込み部を通じて絶縁ハウジング内に差し込まれたもとで、第１の静止位置から第２の静止位置に移行するとき、複数のコンタクトの夫々に複数の接続端子部のうちの対応するものに対する押圧接触状態をとらせ、第２の静止位置から第１の静止位置に移行するとき、複数のコンタクトの夫々を複数の接続端子部のうちの対応するものに対する押圧接触状態から解放するアクチュエータと、を備えて成り、複数のコンタクトの夫々が、絶縁ハウジングに固定される固定ビーム部と、接続端子部に押圧接触する接触部及びアクチュエータからの押圧力を受ける受圧部が設けられた可動ビーム部と、可動ビーム部における接触部と受圧部との間の部分を固定ビーム部に連結して可動ビーム部を支持する連結支柱部とを有し、連結支柱部における可動ビーム部の接触部側の側縁部が、固定ビーム部に対して実質的に直立しているとともに、連結支柱部における可動ビーム部の受圧部側の側縁部が、連結支柱部の可動ビーム部との接続部分から連結支柱部の固定ビーム部との接続部分に向かって傾斜していて、連結支柱部の固定ビーム部との接続部分の幅が連結支柱部の可動ビーム部との接続部分の幅より大とされており、可動ビーム部が、連結支柱部の可動ビーム部との接続部分を支点として揺動変位することを特徴とするものとされる。
【００１５】
上述のように構成される本発明に係るコネクタ装置にあっては、各々が固定ビーム部と可動ビーム部と連結支柱部とを有するものとされる複数のコンタクトの夫々が、例えば、全体としてエ字状の板部材を成すものとされる。そして、配線板部材が配線板部材差込み部を通じて絶縁ハウジング内に差し込まれるとき、差し込まれた配線板部材は、複数のコンタクトの夫々における固定ビーム部と可動ビーム部との間の位置に配される。このようなもとで、アクチュエータが第１の静止位置から第２の静止位置へと移行せしめられるべく回動操作されると、第１の静止位置から第２の静止位置へと移行するアクチュエータが、複数のコンタクトの夫々における可動ビーム部に、例えば、コンタクトに係合するカム部により当該可動ビーム部の受圧部に押圧力を作用させて、連結支柱部の可動ビーム部との接続部分を支点とした揺動変位を生じさせ、当該可動ビーム部の接触部を絶縁ハウジング内に差し込まれた配線板部材における複数の接続端子部のうちの対応するものに押圧接触させる。それにより、複数のコンタクトの夫々が絶縁ハウジング内に差し込まれた配線板部材における複数の接続端子部のうちの対応するものに対する押圧接触状態をとるものとされる。
【００１６】
また、その後、アクチュエータが第２の静止位置から第１の静止位置へと移行せしめられるべく回動操作されると、第２の静止位置から第１の静止位置へと移行するアクチュエータが、複数のコンタクトの夫々における可動ビーム部に、例えば、コンタクトに係合するカム部が当該可動ビーム部の受圧部に押圧力を作用させないようにして、再度、連結支柱部の可動ビーム部との接続部分を支点とした揺動変位を生じさせ、当該可動ビーム部の接触部を配線板部材における複数の接続端子部のうちの対応するものに対する押圧接触を止めさせる。それにより、複数のコンタクトの夫々が絶縁ハウジング内に差し込まれた配線板部材における複数の接続端子部のうちの対応するものに対する押圧接触状態から解放される。
【００１７】
このような本発明に係るコネクタ装置は、例えば、電子機器の主配線基板に固定され、複数のコンタクトが主配線基板に配された回路端子部に電気的に接続される。そして、斯かるもとで、上述のように、配線板部材が本発明に係るコネクタ装置における絶縁ハウジング内に配線板部材差込み部を通じて差し込まれ、アクチュエータが第１の静止位置から第２の静止位置へと移行せしめられるべく回動操作されて、絶縁ハウジング内に配列配置された複数のコンタクトの夫々が、絶縁ハウジング内に差し込まれた配線板部材における複数の接続端子部のうちの対応するものに対する押圧接触状態をとるものとされることにより、配線板部材が、本発明に係るコネクタ装置を介して、主配線基板に電気的に連結されて取り付けられることになる。
【発明の効果】
【００１８】
本発明に係るコネクタ装置においては、絶縁ハウジング内に配列配置された複数のコンタクトの夫々が、それが有する連結支柱部における可動ビーム部の接触部側の側縁部が、固定ビーム部に対して実質的に直立しているとともに、当該連結支柱部における可動ビーム部の受圧部側の側縁部が、連結支柱部の可動ビーム部との接続部分から連結支柱部の固定ビーム部との接続部分に向かって傾斜しているものとされている。その結果、複数のコンタクトの夫々における連結支柱部が、可動ビーム部を安定に支持するに十分な剛性を備えるものとされるもとで、その連結支柱部における可動ビーム部の接触部側の側縁部が、絶縁ハウジング内に差し込まれる配線板部材の先端部が比較的深い位置まで到達することを許し、それにより、配線板部材差込み部を通じて絶縁ハウジング内に差し込まれる配線板部材に、絶縁ハウジング内に比較的深く差し込まれて、絶縁ハウジング内に差し込まれた状態が安定に維持される位置をとらせることができる。
【００１９】
また、本発明に係るコネクタ装置においては、絶縁ハウジング内に配列配置された複数のコンタクトの夫々が、それが有する連結支柱部の固定ビーム部との接続部分の幅が可動ビーム部との接続部分の幅より大とされていて、可動ビーム部が、連結支柱部の可動ビーム部との接続部分を支点として揺動変位するものとされている。その結果、複数のコンタクトの夫々に、可動ビーム部のその接触部を絶縁ハウジング内に差し込まれた配線板部材における接続端子部に押圧接触させる揺動変位とされる、配線板部材における接続端子部に対する押圧接触状態をとるための変位を、アクチュエータの回動に伴って比較的容易に生じさせることができる。さらに、複数のコンタクトの夫々が、可動ビーム部がその接触部を絶縁ハウジング内に差し込まれた配線板部材における接続端子部に押圧接触させる揺動変位を生じる際に、連結支柱部が可動ビーム部の接触部側に傾く事態が回避されるものとされ、それにより、差込み部を通じて絶縁ハウジング内に差し込まれた配線板部材が、絶縁ハウジング内から絶縁ハウジング外へ押し出される方向に変位してしまうことがない。しかも、可動ビーム部の接触部が、絶縁ハウジング内に差し込まれた配線板部材に連結支柱部側に向かう方向の押圧分力を作用させるので、配線板部材が絶縁ハウジング内に差し込まれた状態に安定に維持される。
【発明を実施するための最良の形態】
【００２０】
本発明を実施するための最良の形態は、以下に述べられる本発明についての実施例をもって説明される。
【実施例】
【００２１】
図１は、本発明に係るコネクタ装置の一例を、それに差し込まれる配線板部材とされるフレキシブル印刷配線基板の部分と共に示す。
【００２２】
図１において、本発明に係るコネクタ装置の一例を成すコネクタ装置１０は、合成樹脂等の絶縁材料によって形成された絶縁ハウジング１１を備えている。コネクタ装置１０が実際の使用に供されるときには、絶縁ハウジング１１を含むコネクタ装置１０の全体が、例えば、電子機器の主配線基板（図示が省略されている。）に固定される。
【００２３】
絶縁ハウジング１１には、配線板部材差込み部１２が設けられている。この絶縁ハウジング１１には、例えば、フレキシブル印刷配線基板１３の一端部が、配線板部材を成すものとして、配線板部材差込み部１２を通じて、その内部に差し込まれる。
【００２４】
配線板部材差込み部１２を通じて絶縁ハウジング１１内に差し込まれるフレキシブル印刷配線基板１３の一端部には、各々が短冊形を成すものとされた導電性材料で成る複数の接続端子部１４が、配列配置されて設けられている。複数の接続端子部１４の夫々は、図示が省略された、フレキシブル印刷配線基板１３に設けられた印刷配線部に連結されている。
【００２５】
コネクタ装置１０の絶縁ハウジング１１内には、複数のコンタクト１５が、絶縁ハウジング１１の長手方向に沿って配列配置されている。これらの配列配置された複数のコンタクト１５は、各々が、絶縁ハウジング１１に対するフレキシブル印刷配線基板１３の一端部の差込み及び抜出し方向に沿う方向に伸びるものとされ、フレキシブル印刷配線基板１３の一端部が配線板部材差込み部１２を通じて絶縁ハウジング１１内に差し込まれるとき、差し込まれたフレキシブル印刷配線基板１３の一端部に配列配置された複数の接続端子部１４に夫々対応する位置をとるものとされる。
【００２６】
複数のコンタクト１５の夫々は、図１に示されるコネクタ装置１０及びフレキシブル印刷配線基板１３の部分についての複数のコンタクト１５の配列方向に直交する断面をあらわす図２に示されるように、弾性を有した導電性材料で形成されて、全体的にエ字状を成す板状体を成すものとされている。そして、斯かる複数のコンタクト１５の夫々は、絶縁ハウジング１１に固定される固定ビーム部１６と、絶縁ハウジング１１内において変位可能とされた可動ビーム部１７と、固定ビーム部１６と可動ビーム部１７とを連結して可動ビーム部１７を支える連結支柱部１８とを有している。
【００２７】
コンタクト１５の固定ビーム部１６は、その一方の端部１６ａが、配線板部材差込み部１２に臨む位置に配され、また、その他方の端部１６ｂが、その一部が絶縁ハウジング１１に噛み合うとともに、連結端子部を形成しているものとされる。この固定ビーム部１６の端部１６ｂが形成する連結端子部は、例えば、コネクタ装置１０が固定された主配線基板に設けられた配線部に連結される。
【００２８】
コンタクト１５の可動ビーム部１７は、その一方の端部１７ａが、絶縁ハウジング１１内に差し込まれたフレキシブル印刷配線基板１３の一端部における接続端子部１４に押圧接触する接触部を形成し、また、その他方の端部１７ｂが、後述されるアクチュエータ２０に設けられたカム部２１からの押圧力を受ける受圧部を形成するものとされている。可動ビーム部１７の端部１７ａが形成する接触部は、固定ビーム部１６の端部１６ａに対向するものとして配線板部材差込み部１２に臨む位置に配され、また、可動ビーム部１７の端部１７ｂが形成する受圧部は、固定ビーム部１６の端部１６ｂに対向する位置に配される。
【００２９】
コンタクト１５の連結支柱部１８は、可動ビーム部１７における端部１７ａが形成する接触部と端部１７ｂが形成する受圧部との間の部分を固定ビーム部１６の端部１６ａと端部１６ｂとの間の部分に連結して、可動ビーム部１７を支えている。そして、連結支柱部１８における可動ビーム部１７の端部１７ａが形成する接触部側（固定ビーム部１６の端部１６ａ側）の側縁部１８ａが、固定ビーム部１６に対して実質的に直立しているとともに、連結支柱部１８における可動ビーム部１７の端部１７ｂが形成する受圧部側（固定ビーム部１６の端部１６ｂ側）の側縁部１８ｂが、連結支柱部１８の可動ビーム部１７との接続部分１８ｃから連結支柱部１８の固定ビーム部１６との接続部分１８ｄに向かって傾斜していて、連結支柱部１８の固定ビーム部１６との接続部分１８ｄの幅ｗ（固定ビーム部１６が伸びる方向の寸法）が連結支柱部１８の可動ビーム部１７との接続部分１８ｃの幅ｖ（可動ビーム部１７が伸びる方向の寸法）より大とされている。
【００３０】
このように、コンタクト１５にあっては、連結支柱部１８が、その側縁部１８ａが固定ビーム部１６に対して実質的に直立しているとともに、側縁部１８ｂが可動ビーム部１７との接続部分１８ｃから固定ビーム部１６との接続部分１８ｄに向かって傾斜していて、接続部分１８ｄの幅ｗが接続部分１８ｃの幅ｖより大とされた形状をもって、可動ビーム部１７を支持している。それにより、連結支柱部１８は、可動ビーム部１７を安定に支持するに十分な剛性を備えたものとされていて、可動ビーム部１７の端部１７ｂが形成する受圧部が後述されるアクチュエータ２０に設けられたカム部２１からの押圧力を受けるとき、あるいは、可動ビーム部１７の端部１７ｂが形成する受圧部が後述されるアクチュエータ２０に設けられたカム部２１からの押圧力を受けなくなるとき、可動ビーム部１７がコンタクト１５における連結支柱部１８の可動ビーム部１７との接続部分１８ｃを支点として揺動変位するものとされる。
【００３１】
また、コネクタ装置１０は、絶縁ハウジング１１に対して回動可能とされたアクチュエータ２０を備えている。アクチュエータ２０は、絶縁ハウジング１１内における複数のコンタクト１５の配列方向に沿って伸びる細長い形状をしていて、その長手方向を絶縁ハウジング１１の長手方向と同方向としており、図１及び図２に示されるような、絶縁ハウジング１１に対して起き上がった位置となる第１の静止位置と、後述される図４に示されるような、絶縁ハウジング１１に対して伏した位置となる第２の静止位置とをとる。そして、アクチュエータ２０に回動操作が加えられるとき、アクチュエータ２０が、第１の静止位置から第２の静止位置への移行、あるいは、第２の静止位置から第１の静止位置への移行を行うものとされる。
【００３２】
アクチュエータ２０には、図２に示されるような、複数のコンタクト１５に夫々係合する複数のカム部２１が設けられている。複数のカム部２１の各々は、複数のコンタクト１５の配列方向に直交する断面の形状が楕円状とされており、従って、対向端面部間の差渡し寸法が極大となる極大寸法部分を有していて、アクチュエータ２０の回動位置の変化に伴って極大寸法部分を変位させるものとされている。そして、複数のカム部２１の夫々は、複数のコンタクト１５のうちの対応するものにおける固定ビーム部１６の端部１６ｂと可動ビーム部１７の端部１７ｂとに挟まれていて、アクチュエータ２０の回動に伴って固定ビーム部１６の端部１６ｂと可動ビーム部１７の端部１７ｂとの両者に係合するものとされる。
【００３３】
このように、アクチュエータ２０が備える複数のカム部２１は、複数のコンタクト１５に夫々対応しており、複数のコンタクト１５が絶縁ハウジング１１の長手方向に沿って配列配置されていることにより、複数のカム部２１は、アクチュエータ２０にその長手方向に沿って配列配置されて設けられていることになる。
【００３４】
このようなもとで、図３に示されるように、アクチュエータ２０が第１の静止位置をとる状態にあるとき、フレキシブル印刷配線基板１３の一端部が絶縁ハウジング１１内に配線板部材差込み部１２を通じて差し込まれる。そして、フレキシブル印刷配線基板１３の一端部が絶縁ハウジング１１内に差し込まれたもとで、アクチュエータ２０が、それに対する回動操作により回動せしめられ、図４に示されるように、第１の静止位置から第２の静止位置に移行すると、複数のコンタクト１５の夫々が、絶縁ハウジング１１内に差し込まれたフレキシブル印刷配線基板１３の一端部に設けられた複数の接続端子部１４のうちの対応するものに対する押圧接触状態をとるものとされる。
【００３５】
斯かる際においては、先ず、アクチュエータ２０が第１の静止位置をとるもとにおいて、フレキシブル印刷配線基板１３の一端部が絶縁ハウジング１１内に配線板部材差込み部１２を通じて差し込まれ、絶縁ハウジング１１内に差し込まれたフレキシブル印刷配線基板１３の一端部は、複数のコンタクト１５の夫々における固定ビーム部１６と可動ビーム部１７との間の位置に配される。
【００３６】
このとき、複数のコンタクト１５の夫々における連結支柱部１８が、その側縁部１８ａ（可動ビーム部１７の端部１７ａが形成する接触部側の側縁部）が固定ビーム部１６に対して実質的に直立していることにより、絶縁ハウジング１１内に差し込まれたフレキシブル印刷配線基板１３の一端部は、差込み途中で連結支柱部１８によって進行を阻止されることなく、図３に示されるように、その先端が連結支柱部１８の側縁部１８ａに当接する位置まで進行できる。即ち、固定ビーム部１６に対して実質的に直立している側縁部１８ａを有した連結支柱部１８が、絶縁ハウジング１１内に差し込まれるフレキシブル印刷配線基板１３の一端部の先端が比較的深い位置まで到達することを許し、それにより、フレキシブル印刷配線基板１３の一端部が、絶縁ハウジング１１内に比較的深く差し込まれて、絶縁ハウジング１１内に差し込まれた状態が安定に維持される位置をとることができることになる。
【００３７】
続いて、第１の静止位置をとるアクチュエータ２０が、回動操作により、第１の静止位置から第２の静止位置に移行すべく回動せしめられると、そのアクチュエータ２０の第１の静止位置から第２の静止位置に移行する回動に伴って、アクチュエータ２０に設けられた複数のカム部２１の夫々が、その極大寸法部分を変位させるものとされる。
【００３８】
このとき、複数のカム部２１の夫々は、図４に示されるように、アクチュエータ２０の回動に伴って極大寸法部分の方向を変化させつつ、複数のコンタクト１５のうちの対応するものの固定ビーム部１６の端部１６ｂ及び可動ビーム部１７の端部１７ｂに係合し、可動ビーム部１７の端部１７ｂが形成する受圧部に、固定ビーム部１６の端部１６ｂから離隔する方向に変位させる押圧力を作用させる。それにより、複数のカム部２１の夫々は、可動ビーム部１７を連結支柱部１８の可動ビーム部１７との接続部分１８ｃを支点として揺動変位させ、可動ビーム部１７の端部１７ａが形成する接触部を、固定ビーム部１６の端部１６ａに近接する方向に変位させて、絶縁ハウジング１１内に差し込まれたフレキシブル印刷配線基板１３の一端部における複数の接続端子部１４のうちの対応するものに押圧接触させる。
【００３９】
これよりして、アクチュエータ２０は、第１の静止位置から第２の静止位置に移行するとき、可動ビーム部１７の端部１７ｂが形成する受圧部に押圧力を作用させて、可動ビーム部１７についての連結支柱部１８の可動ビーム部１７との接続部分１８ｃを支点とする揺動変位を生じさせ、可動ビーム部１７の端部１７ａが形成する接触部を絶縁ハウジング１１内に差し込まれたフレキシブル印刷配線基板１３の一端部における複数の接続端子部１４のうちの対応するものに押圧接触させることになる。それにより、複数のコンタクト１５の夫々が絶縁ハウジング１１内に差し込まれたフレキシブル印刷配線基板１３の一端部における複数の接続端子部１４のうちの対応するものに対する押圧接触状態をとるものとされる。その結果、フレキシブル印刷配線基板１３が、コネクタ装置１０を介して、コネクタ装置１０が固定された主配線基板に電気的に連結されて取り付けられることになる。
【００４０】
斯かる際、複数のコンタクト１５の夫々において、連結支柱部１８が、その側縁部１８ａが固定ビーム部１６に対して実質的に直立しているとともに、その側縁部１８ｂが可動ビーム部１７との接続部分１８ｃから固定ビーム部１６との接続部分１８ｄに向かって傾斜していて、固定ビーム部１６との接続部分１８ｄの幅ｗが可動ビーム部１７との接続部分１８ｃの幅ｖより大であるものとされたもとで、可動ビーム部１７が、連結支柱部１８の可動ビーム部１７との接続部分１８ｃを支点として揺動変位するものとされることになる。
【００４１】
それにより、可動ビーム部１７の揺動変位が、連結支柱部１８が可動ビーム部１７を安定に支持するに十分な剛性を備えるものとされたもとで行われるとともに、複数のコンタクト１５の夫々の、可動ビーム部１７のその接触部を絶縁ハウジング１１内に差し込まれたフレキシブル印刷配線基板１３の一端部における接続端子部１４に押圧接触させる揺動変位とされる、接続端子部１４に対する押圧接触状態をとるための変位が、アクチュエータ２０の回動に伴って比較的容易に生じさせることができるものとされる。
【００４２】
さらに、複数のコンタクト１５の夫々における連結支柱部１８が、可動ビーム部１７がその接触部を絶縁ハウジング１１内に差し込まれたフレキシブル印刷配線基板１３の一端部における接続端子部１４に押圧接触させる揺動変位を生じる際において、可動ビーム部１７の端部１７ａが形成する接触部側に傾く事態が回避されるものとされる。その結果、配線板部材差込み部１２を通じて絶縁ハウジング１１内に差し込まれたフレキシブル印刷配線基板１３の一端部が、連結支柱部１８によって絶縁ハウジング１１内から絶縁ハウジング１１外へ押し出される方向に変位せしめられてしまうことがない。
【００４３】
しかも、可動ビーム部１７における端部１７ａが形成する接触部が、絶縁ハウジング１１内に差し込まれたフレキシブル印刷配線基板１３に連結支柱部１８側に向かう方向の押圧分力を作用させるので、フレキシブル印刷配線基板１３が絶縁ハウジング１１内に差し込まれた状態に安定に維持される。
【００４４】
なお、上述のようなコネクタ装置１０にあっては、図５に示されるように、フレキシブル印刷配線基板１３が絶縁ハウジング１１内に差し込まれないもとにおいて、アクチュエータ２０が第２の静止位置をとるものとされ、それによって、アクチュエータ２０に設けられた複数のカム部２１の夫々が、複数のコンタクト１５のうちの対応するものの可動ビーム部１７を連結支柱部１８の可動ビーム部１７との接続部分１８ｃを支点として揺動変位させ、可動ビーム部１７の端部１７ａが形成する接触部を、固定ビーム部１６の端部１６ａに近接する方向に変位させる場合においても、複数のコンタクト１５の夫々における連結支柱部１８は、可動ビーム部１７の端部１７ａが形成する接触部側に傾かないものとなる。
【００４５】
そして、回動操作されたアクチュエータ２０が第２の静止位置をとるものとされると、アクチュエータ２０に備えられたカム部２１が可動ビーム部１７の端部１７ｂに極大寸法部分をもって係合する状態を維持する。それにより、可動ビーム部１７の端部１７ａが形成する接触部が、絶縁ハウジング１１内に差し込まれたフレキシブル印刷配線基板１３の一端部における接続端子部１４に押圧当接して、その接続端子部１４が設けられたフレキシブル印刷配線基板１３の一端部を固定ビーム部１６の端部１６ａとによって挟持する状態におかれ、複数のコンタクト１５の夫々がフレキシブル印刷配線基板１３の一端部に設けられた複数の接続端子部１４のうちの対応するものに対する押圧接触状態を維持するものとされる。
【００４６】
図４に示されるように、フレキシブル印刷配線基板１３の一端部が絶縁ハウジング１１内に配線板部材差込み部１２を通じて差し込まれたもとで第２の静止位置をとるものとされたアクチュエータ２０は、必要に応じて、回動操作により第２の静止位置から第１の静止位置に移行すべく回動せしめられる。斯かる際の回動操作は、勿論、第１の静止位置から第２の静止位置に移行すべく回動せしめられるときの回動操作とは逆方向のものとされる。
【００４７】
第２の静止位置から第１の静止位置に移行する回動を行うアクチュエータ２０は、絶縁ハウジング１１内に配列配置されて設けられた複数のコンタクト１５の夫々を、フレキシブル印刷配線基板１３の一端部に配列配置されて設けられた複数の接続端子部１４のうちの対応するものに対する押圧接触状態から解放する。斯かる際には、アクチュエータ２０の第２の静止位置から第１の静止位置に移行する回動に伴って、複数のコンタクト１５の夫々に極大寸法部分をもって係合して、コンタクト１５に接続端子部１４に対する押圧接触状態をとらせている、アクチュエータ２０に設けられた複数のカム部２１の夫々が、複数のコンタクト１５のうちの対応するものにおける可動ビーム部１７の端部１７ｂが形成する受圧部に押圧力を作用させないようにして、再度、可動ビーム部１７の連結支柱部１８の可動ビーム部１７との接続部分１８ｃを支点とした揺動変位を生じさせ、当該可動ビーム部１７の端部１７ａが形成する接触部を、フレキシブル印刷配線基板１３の一端部に設けられた複数の接続端子部１４のうちの対応するものに対する押圧接触を止めさせる。それにより、複数のコンタクト１５の夫々が絶縁ハウジング１１内に差し込まれたフレキシブル印刷配線基板１３の一端部に設けられた複数の接続端子部１４のうちの対応するものに対する押圧接触状態から解放される。
【産業上の利用可能性】
【００４８】
以上のような本発明に係るコネクタ装置は、フレキシブル印刷配線基板等の配線板部材の電子機器の主配線基板等への取付けに用いられる、配線板部材差込み部が設けられた絶縁ハウジングと、絶縁ハウジング内に配された複数のコンタクトと、回動操作されて複数のコンタクトに係合するアクチュエータとを備えたコネクタ装置であって、フレキシブル印刷配線基板に絶縁ハウジング内に差し込まれた状態が安定に維持される位置をとらせることができ、しかも、複数のコンタクトの夫々に、絶縁ハウジング内に差し込まれた配線板部材における接続端子部に対する押圧接触状態をとるための変位を、アクチュエータの回動に伴って比較的容易に生じさせることができるものとして、様々な電子機器等に広く適用され得るものである。
【図面の簡単な説明】
【００４９】
【図１】本発明に係るコネクタ装置の一例を、それに差し込まれるフレキシブル印刷配線基板の一部と共に示す斜視図である。
【図２】本発明に係るコネクタ装置の一例を、それに差し込まれるフレキシブル印刷配線基板の一部と共に示す断面図である。
【図３】図１及び図２に示される例の構成及び動作の説明に供される断面図である。
【図４】図１及び図２に示される例の構成及び動作の説明に供される断面図である。
【図５】図１及び図２に示される例のコンタクトについての説明に供される断面図である。
【符号の説明】
【００５０】
１０・・・コネクタ装置，  １１・・・絶縁ハウジング，  １２・・・配線板部材  差込み部，  １３・・・フレキシブル印刷配線基板，  １４・・・接続端子部，  １５・・・コンタクト，  １６・・・固定ビーム部，  １７・・・可動ビーム部，  １８・・・連結支柱部，  １８ａ，１８ｂ・・・側縁部，  １８ｃ，１８ｄ・・・接続部分，  ２０アクチュエータ，  ２１・・・カム部
【図１】
2010003458.tif 000003
【図２】
2010003458.tif 000004
【図３】
2010003458.tif 000005
【図４】
2010003458.tif 000006
【図５】
2010003458.tif 000007